(57)【要約】      （修正有）【課題】大型無機質板を躯体に固定し、その脱落を防止できるその固定方法および治具を提供する。【解決手段】孔または溝２を、一方の面に有する大型無機質板１を用意し、係止部本体３１と嵌め込み部材３２からなる固定部材３を用意する。係止部本体は、面に沿った方向に変形可能であり、孔または溝に挿入可能な係止部と、嵌め込み部材が挿入可能な被挿入部とを備え、係止部本体を大型無機質板の孔または溝に挿入し、被挿入部に嵌め込み部材を面に沿った方向に挿入する。これにより係止部の径または幅が面に沿った方向に拡張し、係止部本体は大型無機質板に係止される。その後、嵌め込み部材が備える接続部を介して固定部材を躯体に接続し、孔または溝を有する面と躯体とを接着する。【選択図】図１
2018028176.tif 000002
【特許請求の範囲】
【請求項１】
大型無機質板を躯体に固定する方法であって、
（ａ）  その深さが、最も短いその幅と同じかそれよりも小である非貫通孔または溝を、一方の面に有する大型無機質板を用意する工程と、
（ｂ）  係止部本体と嵌め込み部材とから少なくともなる固定部材を用意する工程であって、
・前記係止部本体が、前記面に沿った方向に変形可能であり、前記非貫通孔または溝に挿入可能な係止部と、前記非貫通孔または溝の内壁に当接する当接面と、前記嵌め込み部材が挿入可能な被挿入部とを備えてなり、
・前記嵌め込み部材が、前記被挿入部に嵌め込み部材を前記面に沿った方向に挿入することにより、前記係止部の径または幅を、前記面に沿った方向に拡張させて、前記当接面を孔または溝に押圧させ、もって前記係止部本体を前記大型無機質板に係止可能なものであり、かつ前記躯体と接続する接続部を備えたなるものを用意する工程と、
（ｃ）  前記非貫通孔または溝に前記係止部本体を挿入する工程と、
（ｄ）  前記挿入部に前記嵌め込む部材を前記面に沿った方向に挿入し、もって前記係止部が前記面に沿った方向に拡張し、前記係止部を前記非貫通孔または溝の内壁に面して当接し押圧させることにより、前記係止部本体を前記大型無機質板に係止する工程と、
（ｅ）  前記接続部を躯体に接続する工程と、
（ｆ）  前記非貫通孔または溝を有する面と躯体とを接着する工程と
を含んでなる、方法。
【請求項２】
前記嵌め込み部材が、前記被挿入部と面で当接する、請求項１に記載の方法。
【請求項３】
前記被挿入部および前記嵌め込み部材が共に、当該嵌め込み部材の挿入方向に関し、挿入方向の先端側が狭く、後端側が広い形状を有し、前記嵌め込み部材が挿入されるに従い、前記係止部本体の径または幅を、前記面に沿った方向に拡張させて、前記当接面を孔または溝に押圧させ、もって前記固定部材を前記大型無機質板に係止する、請求項１または２に記載の方法。
【請求項４】
前記嵌め込み部材がクサビ形状である、請求項３に記載の方法。
【請求項５】
嵌め込み部材の前記挿入方向と、前記躯体から前記接続部に加わる力の方向とが一致するよう、前記固定部材が配置される、請求項３または４に記載の方法。
【請求項６】
嵌め込み部材の前記挿入方向の先端と後端とに挟まれた領域に、接続部を備えてなる。請求項３〜５のいずれか一項に記載の方法。
【請求項７】
前記係止部本体が少なくとも二つの部材からなり、当該二つ以上の係止部本体の間に前記溝部が設けられてなる、請求項１〜６のいずれか一項に記載の方法。
【請求項８】
請求項１〜７のいずれか一項に記載の大型無機質板を躯体に固定する方法に用いられる固定部材であって、
前記躯体と接続する接続部と、前記非貫通孔または溝に係止される係止部とを備えてなり、前記係止部が、前記面に沿った方向に変形可能であり、前記非貫通孔または溝に挿入可能であり、かつ、前記非貫通孔または溝の内壁に当接する当接面を備えてなるもの
であることを特徴とする、固定部材。
【請求項９】
躯体と、該躯体に固定された無機質板構造物であって、
前記無機質板が、その深さが、最も短いその幅と同じかそれよりも小である非貫通孔または溝を、一方の面に有し、
当該貫通孔または溝には固定部材が挿入されてなり、ここで当該固定部材は、前記躯体と接続する接続部と、前記非貫通孔または溝に係止される係止部とを備えてなり、前記係止部が、前記面に沿った方向に変形可能であり、前記非貫通孔または溝に挿入可能であり、かつ、前記非貫通孔または溝の内壁に当接する当接面を備えてなるもの
前記固定部材が躯体に接続され、さらに
前記非貫通孔または溝を有する面と躯体とが接着されてなることを特徴とする、構造物。
【発明の詳細な説明】
【技術分野】
【０００１】
本発明は、無機質板、とりわけ薄型で大型の陶磁器板を壁などの躯体に固定する方法およびそのための固定部材に関し、さらに詳しくは無機質板を接着剤などで貼着する固定手段に加えて実施され、その脱落などを防止する方法およびそのための固定部材に関する。
【背景技術】
【０００２】
内装または外装材としてタイルなどの無機質板が広く用いられている。これら無機質板の躯体への施工は、接着剤やモルタルなどで張り付けることに行われる。さらに、最近では目地を少なくでき、施工の簡略化や意匠の多様化を実現可能な大型陶磁器板が実用化され広く利用されてきており、このような大型陶磁器板についてもその施工は接着剤などによる張付けが一般的である。
【０００３】
このような無機質板、とくに大型陶磁器板を壁面などに施工する場合、経年により剥離や割れが発生しても、脱落並びに脱落に伴う被害を抑止することが必要になる。大型陶磁器板は薄型とされ軽量化されているものが多いが、特に大型陶磁器板を外装材としてする場合には、脱落並びに脱落に伴う被害を抑止可能な施工システムが重要になる。
【０００４】
このような施工システムとして、接着剤などによる貼着に加えて、無機質板に穴をあけてタッピングビスなどで固定することが行われている。しかしながら、内装・外装材として化粧面を有するものである場合、穴およびビスの頭は化粧面の意匠を損なう恐れがある。
【０００５】
化粧面の意匠性を損ねない施工方法として、例えば、無機質板の片面に非貫通孔を設け、この孔に円筒形状のコイル状部の全体を挿入してコイル状部の拡開方向の弾発力に基づく摩擦力により該穴に固定する方法が提案されている（特開平８−６８１８３号公報、特許文献１）。この方法では、コイルを孔に挿入するため、ある程度の深さの孔を必要とする。また、非貫通孔に特定構造の係止片を用いて建築板を固定する提案もされているが（特開２０１０−２３６２６２号公報、特許文献２）、この係止片は非貫通孔内壁と点で接触する構造であるため、その係止力には限度があると考えられる。従って、化粧面の意匠性を損ねない施工方法、とりわけ薄型で大型の無機質板の固定方法が依然として求められていると言える。
【先行技術文献】
【特許文献】
【０００６】
【特許文献１】特開平８−６８１８３号公報
【特許文献２】特開２０１０−２３６２６２号公報
【特許文献３】特開２０１５−１０３８０号公報
【発明の概要】
【発明が解決しようとする課題】
【０００７】
本発明は、無機質板を躯体に固定し、その脱落を防止できるその固定方法およびそのための治具、その固定方法によって得られる構造物の提供を目的とする。
【課題を解決するための手段】
【０００８】
そして、本発明による大型無機質板を躯体に固定する方法は、
（ａ）  その深さが、最も短いその幅と同じかそれよりも小である非貫通孔または溝を、一方の面に有する大型無機質板を用意する工程と、
（ｂ）  係止部本体と嵌め込み部材とから少なくともなる固定部材を用意する工程であって、
・前記係止部本体が、前記面に沿った方向に変形可能であり、前記非貫通孔または溝に挿入可能な係止部と、前記非貫通孔または溝の内壁に当接する当接面と、前記嵌め込み部材が挿入可能な被挿入部とを備えてなり、
・前記嵌め込み部材が、前記被挿入部に嵌め込み部材を前記面に沿った方向に挿入することにより、前記係止部の径または幅を、前記面に沿った方向に拡張させて、前記当接面を孔または溝に押圧させ、もって前記係止部本体を前記大型無機質板に係止可能なものであり、かつ前記躯体と接続する接続部を備えたなるものを用意する工程と、
（ｃ）  前記非貫通孔または溝に前記係止部本体を挿入する工程と、
（ｄ）  前記挿入部に前記嵌め込む部材を前記面に沿った方向に挿入し、もって前記係止部が前記面に沿った方向に拡張し、前記係止部を前記非貫通孔または溝の内壁に面して当接し押圧させることにより、前記係止部本体を前記大型無機質板に係止する工程と、
（ｅ）  前記接続部を躯体に接続する工程と、
（ｆ）  前記非貫通孔または溝を有する面と躯体とを接着する工程と
を含んでなることを特徴とする。
【０００９】
また、本発明による固定部材は、本発明による大型無機質板を躯体に固定する方法に用いられる固定部材であって、
前記躯体と接続する接続部と、前記非貫通孔または溝に係止される係止部とを備えてなり、前記係止部が、前記面に沿った方向に変形可能であり、前記非貫通孔または溝に挿入可能であり、かつ、前記非貫通孔または溝の内壁に当接する当接面を備えてなるもの
であることを特徴とする。
【００１０】
また、本発明による構造物は、
躯体と、該躯体に固定された無機質板とを備えてなる構造物であって、
前記無機質板が、その深さが、最も短いその幅と同じかそれよりも小である非貫通孔または溝を、一方の面に有し、
当該貫通孔または溝には固定部材が挿入されてなり、ここで当該固定部材は、前記躯体と接続する接続部と、前記非貫通孔または溝に係止される係止部とを備えてなり、前記係止部が、前記面に沿った方向に変形可能であり、前記非貫通孔または溝に挿入可能であり、かつ、前記非貫通孔または溝の内壁に当接する当接面を備えてなるもの
前記固定部材が躯体に接続され、さらに
前記非貫通孔または溝を有する面と躯体とが接着されてなることを特徴とする。
【図面の簡単な説明】
【００１１】
【図１】本発明の第一の態様による無機質板の躯体への固定方法を説明する図である。
【図２】図２（ａ）は、図１の無機質板１に設けられた非貫通孔２の拡大図である。図２（ｂ）は、非貫通孔２の拡大断面図であり、図２（ｃ）は断面がアリ穴、つまり逆ハの字の形状の非貫通孔の断面図である。
【図３】本発明による方法において用いられる固定部材３の一つの例を示す図であり、一部が切れた円形の係止部本体３１と嵌め込み部材３２とが係合して固定部材３とする説明図である。
【図４】図３に示される係止部本体３１を説明する図であり、（ａ）は上面図、（ｂ）は側面図である。
【図５】図３に示される係止部本体３１の斜視図である。
【図６】図３に示される嵌め込み部材３２を説明する図であり、（ａ）は上面図、（ｂ）は側面図、そして（ｃ）は斜視図である。
【図７】係止部本体３１が無機質板の非貫通孔に挿入され、嵌め込み部材３２が係止部本体３１を押し広げ、係止部３１１が非貫通孔の内壁に面して当接しこれを押す力を生じさせる説明図である。
【図８】接続部と、接続材とを一体化された嵌め込み部材３２の図である。
【図９】係止部本体３１と嵌め込み部材３２とに、それらがずれることを防止するロック機構が設けられた態様の図である。
【図１０】本発明の別の態様による固定部材を示す図であり、（ａ）は係止部本体３１を、（ｂ）は嵌め込み部材３２をそれぞれ表す。
【図１１】図１０に示される係止部本体３１に嵌め込み部材３２を、係止部本体３１の上面に沿った方向に滑り込ませて挿入し、固定部材とする説明図である。
【図１２】図１０の係止部本体３１に、嵌め込み部材３２を挿入した状態、すなわち固定部材の状態を表す図である。
【図１３】本発明の別の態様の説明図であり、図１０に示される態様と比較して、嵌め込み部材３２が、その先端側３３２と、後端側３３５とがほぼ同じ幅の矩形とされる。
【図１４】図１３の係止部本体３１に、嵌め込み部材３２を挿入した状態、すなわち固定部材の状態を表す図である。
【図１５】ロック機構を有する係止部本体３１の説明図である。
【図１６】図１５に示される係止部本体に対応する嵌め込み部材３２を示す図である。
【図１７】図１５および１６に示される係止部本体３１に嵌め込み部材３２を挿入して固定部材とする説明図であり、嵌め込み部材３２が、係止部本体３１の被挿入部３１２に、突起部３２２を切り欠き部３３２の位置に合わせ、図の上方向から嵌め込まれる。
【図１８】図１７に続き、嵌め込み部材３２を図中の矢印方向にスライドさせると、突起部３２２が、係止部本体３１の溝部３１８と非貫通孔の底面１２２とが作る空間に滑り込み係止する状態を説明する図である。
【図１９】図１３に示される係止部本体にロック機構を設けた態様を示す図である。
【図２０】図１３に示される嵌め込み部材にロック機構を設けた態様を示す図である。
【図２１】図１９および２０に示される係止部本体３１に嵌め込み部材３２を挿入して固定部材とした状態の図である。
【図２２】無機質板１に固定部材３が係止され、線材４１が係合された状態を示す図である。
【図２３】、図１０に示される固定部材が係止された無機質板１を、躯体５１に接続した状態の図である。
【図２４】躯体５１の表面５２に、複数の無機質板１を張り付けた状態の説明図である。
【図２５】本発明の第二の態様による無機質板の躯体への固定方法を説明する図である。
【図２６】無機質板の溝の模式図である。溝２は途中で閉じずに、無機質板の端部にまで至り、その側面に凹みを形成している。
【図２７】溝２の拡大断面図であり、（ａ）無機質板の表面に対してほぼ垂直な内壁面を有し、（ｂ）はアリ穴、つまり逆ハの字の形状を有し、（ｃ）は入り口より深さ方向に一定の距離の間、幅が変化しない内壁面があり、さらに深い位置では、幅を入り口の幅よりも大とされた溝の断面図である。
【図２８】本発明の第二の態様における係止部本体７１の斜視図である。
【図２９】図２８に示される係止部本体７１に対応した、嵌め込み部材７２の（ａ）斜視図であり、（ｂ）側面図である。
【図３０】図２８に示される係止部本体７１が、大型無機質板の溝に挿入され、さらに図２９に示される嵌め込み部材７２が、図中のＡの方向、すなわち係止部本体７１の上面に沿った方向に挿入された状態を示す図である。
【図３１】発明の第二の態様の別の実施形態において用いられる大型無機質板の模式図であり、それを構成する縁が非平行である溝２が設けられてなる。
【図３２】図３１に示される溝２に対応する、係止部本体７１および嵌め込み部材７２の説明図である。
【図３３】図３２に示される係止部本体７１が、大型無機質板の溝に挿入され、さらに嵌め込み部材７２が挿入されて構成された固定部材の説明図である。
【発明を実施するための形態】
【００１２】
定義
無機質板
本発明による方法によって固定される無機質板は、例えば陶磁器、石、またはガラスからなるものである。本発明の一つの態様によれば、本発明において無機質板は、平板として、外装または内装の壁、床、天井の仕上げ材や、キャビネット面材やカウンターの仕上げ材に好ましく用いられる。従って、無機質板は、好ましくは意匠が施された化粧面と、躯体等に貼り付けられる施工面とを備える。また、その大きさは限定されないが、本発明による固定方法は、後記するとおり、無機質板の躯体への二重化された固定方法とすることができることから、比較的大型の無機質板に対して好ましく適用される。本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。
【００１３】
さらに本発明による固定方法は、比較的薄い無機質板に好ましく適用できる。薄い無機質板においては非貫通孔または溝は浅くならざるを得ない。大型の陶磁器板では軽量化のため、例えば厚さは３ｍｍ以上１５ｍｍ程度まで、好ましくは１０ｍｍ程度まで、より好ましくは８ｍｍ程度までとされる。
【００１４】
本発明において無機質板は、その表面に釉薬層を有していてもよい。釉薬の成分は特に限定されない。釉薬層の形成は、成形後に施釉し、成形体と一体的に焼成するか、または、焼成体（仮焼体）に施釉した後に焼成するか、いずれかの方法を用いてもよい。さらに、施釉の前後に乾燥工程を設けてもよい。
【００１５】
非貫通孔または溝
本発明による方法が適用される無機質板は、非貫通孔または溝を一方の面、すなわち施工面に有する。非貫通とは、施工面から深さ方向に掘り下げられて孔または溝が形成されるが、化粧面にまで至らない状態を意味する。そして、本発明にあっては、この非貫通孔または溝の深さが、孔または溝の最も短いその幅と同じかそれよりも小であるとされる。
【００１６】
本発明において、無機質板が有する非貫通孔とは、典型的には円形の穴を意味するが、形状は、円形に止まらず、楕円、三角形、四角形、多角形様であってよい。また、溝とは線状の凹部を意味する。しかしながら、孔と溝とは、本発明において明確に区別される必要はなく、例えば楕円の非貫通孔が横長に形成されて溝と解されるような形状であってもよい。後記する固定部材が挿入かつ係止可能である限りにおいて、非貫通孔または溝と呼ぶ。また、溝はその端において閉じずに、無機質板の端部にまで至り、その側面に凹みを形成するものであってよいが、無機質板の強度を維持する観点からは、その端は閉じて、無機質板の端部にまで溝が至らない構成が好ましいと考えられる。
【００１７】
非貫通孔または溝は、深さ方向の形状は、施工面に対して垂直とされてもよく、また入り口、すなわち開口部の直径よりも孔の奥における直径が大とされた、アリ穴、つまり逆ハの字の形状であってもよい。また、入り口部より深さ方向に一定の距離の間、直径が変化せず、さらに深い位置では直径を入り口の直径より大とされた形状であってもよい。
【００１８】
無機質板の強度等への影響からすると、非貫通孔または溝の深さは無機質板の厚さのほぼ半分乃至それ以下とされることが望ましい。本発明による固定方法は、とりわけこのような薄い無機質板における比較的浅い非貫通孔または溝に対して有利に用いられる。具体的には、例えば、非貫通孔または溝の深さが７ｍｍ以下であるような場合に適用できる。また、非貫通孔または溝の最も短い幅は６ｍｍ以上８０ｍｍ以下が好ましく、８ｍｍ以上６０ｍｍ以下がより好ましく、１０ｍｍ以上〜５０ｍｍ以下が、さらに好ましい。最も短い幅は、非貫通孔の孔形状が円形の場合は直径と同義であり、また、孔形状が多角形の場合はその中心を通る最短の幅を意味する。また、溝の場合は、凹条の方向と直角方向の幅のうち、最も短い部位の幅である。
【００１９】
本発明による施工方法
本発明は、非貫通孔または溝に、無機質板の施工面の面方向に主に変形可能な固定部材を適用し、この固定部材がその適用後に再度変形することを防止し、これによって部材の固定をより安定化する。すなわち、本発明にあっては、変形可能な部材の形を歪めて大型無機質板に設けた非貫通孔または溝に、この部材を挿入・係止し、さらにこの部材と躯体とを接続する。このような固定方法によれば、接着と、固定部材との二つの手段により、無機質板と躯体とが固定される。無機質板１は、経時的な劣化などで接着力が十分でなくなった場合でも、固定部材を用いた接続手段が存在するため、脱落や、脱落に伴う被害を防ぐことができる。つまり、本発明によれば、無機質板の躯体への二重化された固定方法が提供される。ここで、固定部材が再度変形すると、固定部材が非貫通孔または溝からずれたり外れたりして、その固定力が損なわれてしまうことが考えられる。そこで、本発明にあっては、固定部材の非貫通孔または溝への係止の後、前記固定部材の形の歪みを抑制するストッパを前記固定部材に嵌め込み、固定部材が再度変形することを防止し、これによって部材の固定をより安定化しようとするものである。
【００２０】
以下、本発明を、大型無機質板に設けられた非貫通孔に対して適用する態様を第一の態様と、また大型無機質板に設けられた溝に対して適用する態様を第二の態様として説明する。なお、以下において単に「本発明」と述べてこれら態様に言及することがある。
【００２１】
第一の態様：非貫通孔を利用した態様
以下、本発明の第一の態様について、図面を参照しながら説明する。
図１は、この態様による無機質板の躯体への固定方法を説明する図である。図１において、無機質板１に、非貫通孔２が設けられてなり、この非貫通孔に、係止部本体３１と、それに挿入される嵌め込み部材３２とを備えてなる固定部材３を挿入することにより固定部材３が係止される。固定部材３には、接続材４が結合され、固定部材３に結合された端と反対側の端において壁などの躯体に接続される。この図の態様にあっては、接続材４の一端がリング状とされ、そのリングにビスやアンカーボルトなどの固定具５を躯体（図示せず）に打ち込み、無機質板１は接続される。この接続とは別に、無機質板１の非貫通孔２が設けられた面は、接着剤により躯体に接着される。本発明による固定方法によれば、接着剤による接着と、固定部材による接続との二つの手段により、無機質板と躯体とが固定される。無機質板１は、経時的な劣化などで接着力が十分でなくなった場合でも、固定部材を用いた接続手段が存在するため、脱落や、脱落に伴う被害を防ぐことができる。すなわち、本発明によれば、無機質板の躯体への二重化された固定方法が提供される。
【００２２】
この態様による固定方法を、工程ごとに以下説明する。
（ａ）無機質板を用意する工程
【００２３】
この工程は上記で定義した無機質板を用意する工程である。図２（ａ）は、図１の無機質板１に設けられた非貫通孔２の拡大図である。さらに、図２（ｂ）は、非貫通孔２の拡大断面図である。図に示される態様において、非貫通孔２は円形であり、無機質板の表面に対してほぼ垂直な内壁面１２１を有する。本発明の一つの態様によれば、非貫通孔２の内壁面１２１はほぼ垂直に限らず、例えば、その断面が図２（ｃ）に示されるようなアリ穴、つまり逆ハの字の形状であってもよく、この場合、内壁面１２１は無機質板の表面に対して垂直ではない。本発明にあっては、固定部材が円周方向に内壁面と接触して係止する。図２（ａ）および（ｂ）のようなほぼ垂直な内壁面とは円周方向に面で固定部材は接触、押圧し、主に摩擦力により係止される。また図２（ｃ）のような形状の孔の場合は、係止部の側面が、無機質板の表面に対して垂直ではない内壁面に面で接触、押圧するようにテーパー状になっている。さらにこの場合は、無機質板の表面付近の径の最も小さな部分の付近で円周方向に接触して、引っ掛かる力によっても係止される。いずれの態様も本発明に包含される。
【００２４】
図２（ａ）および（ｂ）に示される非貫通孔２の底面１２２は平面であってよいが、送入された固定部材の係止を大きく阻害しない限り、特に限定されない。
【００２５】
（ｂ）固定部材を用意する工程
本発明の一つの態様において、固定部材３は、躯体と接続する接続部と、非貫通孔に係止される係止部とを備える。そしてこの係止部が、躯体の面に沿った方向に変形可能であり、非貫通孔に挿入可能であり、かつ、非貫通孔の内壁に当接する当接面を備えてなる。
【００２６】
図３は、本発明による方法において用いられる固定部材の一つの例を示す図である。固定部材３は、係止部本体３１と、それに挿入される嵌め込み部材３２から少なくともなる。図示されるように、係止部本体３１に、嵌め込み部材３２が図中の矢印方向に挿入され得る。
【００２７】
図４（ａ）は、固定部材３を構成する係止部本体３１の上面図であり、この係止部本体３１は、係止部３１１と、この係止部の一部が陥入するように設けられた、嵌め込み部材が挿入される領域である、被挿入部３１２とを備えてなる。この例にあっては、被挿入部３１２は溝として構成されてなる。図４（ｂ）は、係止部本体３１の側面図であり、被挿入部３１２は、図中に点線で示される形状、すなわち所定の深さを有し、この態様にあっては係止部本体を分離することなく形成されてなる。
【００２８】
図５は、図３に示される係止部本体３１の斜視図であり、被挿入部３１２は、溝の側縁に側壁３１３を有し、また係止部３１１は、非貫通孔の内壁に当接する当接面３１４を備える。本発明の一つの態様によれば、図示されるように、溝部の深さは中央部ほど深くなっていることが、嵌め込み部材の挿入が容易となる点で、好ましい。
【００２９】
図６は、係止部本体３１とともに固定部材３を構成する嵌め込み部材３２を示す図であり、図６（ａ）は上面図、（ｂ）は側面図、そして（ｃ）は斜視図である。この図の態様において嵌め込み部材３２は、いわゆるくさび形状を有する。すなわち、上面視で、先端側３３２が狭く、後端側３３３が広い形状を有する。この嵌め込み部材３２は、係止部本体３１の被挿入部３１２とほぼ同じか僅かに大きく、それにより、嵌め込み部材３２の側面３３４が被挿入部の側壁３１３と接し、係止部本体３１を押し広げることができる形状とされる。嵌め込み部材３２には、躯体と接続する接続部３３５が設けられ、この態様にあっては図５（ｂ）に示されるような溝３３６とされ、ここのフック形状をなす部分に接続材４、例えば線材、が係止される。
【００３０】
嵌め込み部材３２は、係止部本体３１の被挿入部３１２に、図３の矢印が示す方向、すなわち係止部本体３１の上面に沿った方向に滑り込ませて挿入される。本発明の好ましい態様によれば、係止部本体３１の上面は、大型無機質板の非貫通孔が設けられた面と一致するものとする。
【００３１】
後記する工程により、係止部本体３１は大型無機質板の非貫通孔に挿入されるが、上記したように、嵌め込み部材３２が係止部本体３１を押し広げることから、図７に示すように、嵌め込み部材３２が挿入された係止部本体３１は、前記面に沿った方向に拡張し、係止部３１１が非貫通孔の内壁に面して当接しこれを押す力を生じさせる。
【００３２】
また、本発明の別の態様によれば、係止部本体３１は、嵌め込み部材３２が挿入されることにより押し広げられ、係止部３１１が非貫通孔の内壁に面して当接しこれを押す力を生じさせる限り、２以上の部材により構成されていてもよい。例えば、被挿入部３１２の箇所において係止部本体３１が二つの係止部３１１に分離されていてもよい。このような構成の係止部本体３１に嵌め込み部材３２が挿入されることにより二つの部材が押し広げられ、それぞれ係止部３１１が非貫通孔の内壁に面して当接しこれを押す力を生じさせ、固定部材３として大型無機質板に係止される。
【００３３】
本発明の別の態様によれば、図８に示されるような、嵌め込み部材３２は、接続部と接続材とを一体化してもよい。図８（ａ）はその上面図であり、（ａ）は上面図、であり（ｂ）は側面図である。図中、嵌め込み部材３２から一体的に延伸された延伸部３３を有し、延伸部３３の端には端部３４があり、その中央には躯体への接続のための接続穴３５が設けられてなる。この態様にあっては、接続材を固定部材の接続部に結合する後記する工程を省略することができる。
【００３４】
さらに本発明の別の好ましい態様によれば、係止部本体３１および嵌め込み部材３２は、図９（ａ）および（ｂ）に示されるように、それぞれつめ部３１５および凹部３２１を有し、これらは係止部本体３１に嵌め込み部材３２が挿入されて一体化されたのち、嵌合して、嵌め込み部材３２がずれることを防止するよう構成される。図９（ａ）は係止部本体３１に嵌め込み部材３２を挿入する前の状態を示すものであり、（ｂ）は挿入後の状態を示す図である。つめ部３１５と、凹部３２１とが共同して、嵌め込み部材３２がずれることを防止するロック機構として機能する。
【００３５】
図１０は、本発明の別の態様による固定部材を示す図であり、（ａ）は係止部本体３１の、（ｂ）は嵌め込み部材３２のそれぞれ上面図である。この態様において、係止部本体３１は二つの係止部３１１を有し、これら係止部は架橋部３１５によって連結される。二つの係止部３１１の間にある領域が、嵌め込み部材３２が挿入される被挿入部３１２となる。また、嵌め込み部材３２は、上面視で、基本的に矩形であるが、先端側３３２がやや狭く、後端側３３５がやや広い形状を有する。この態様にあっても、嵌め込み部材３２は、係止部本体３１の被挿入部３１２とほぼ同じか僅かに大きく、それにより、嵌め込み部材３２の側面が被挿入部の側壁と接し、係止部本体３１を押し広げることができる形状とされる。なお、この態様にあっては、嵌め込み部材３２は、接続部として二つの貫通孔３３６を有し、この貫通孔に線材を通し、躯体と接続できるよう構成される。
【００３６】
図１１は、図１０に示される係止部本体３１に嵌め込み部材３２を挿入して固定部材とする説明図である。嵌め込み部材３２は、係止部本体３１の被挿入部３１２に、図の矢印の示す方向に、すなわち係止部本体３１の上面に沿った方向に滑り込ませて挿入される。この図の態様において、係止部本体３１の架橋部３１６は、図に示されるように肉薄に形成され、係止部３１１の表面より一段下がった凹部として形成される。さらに嵌め込み部材３２は、その先端側３３２が、後端側３３５よりも薄く構成され、係止部本体３１に嵌め込み部材３２が挿入されたときに、係止部３１１の表面と嵌め込み部材３２の先端側３３２とが同じ高さ、つまり同一面となるよう構成される。図１２は、図１０の係止部本体３１に、嵌め込み部材３２を挿入した状態、すなわち固定部材の状態を表す図である。
【００３７】
図１３は、本発明の別の態様の説明図であり、この態様にあっては、図１０に示される態様と比較して、嵌め込み部材３２が、その先端側３３２と、後端側３３５とがほぼ同じ幅の矩形とされ、それ以外は図１０に示される態様と実質的同一とされる。図１３（ａ）は、この態様の係止部本体３１を、（ｂ）は嵌め込み部材３２の上面図である。図１４は、図１３の係止部本体３１に、嵌め込み部材３２を挿入した状態、すなわち固定部材の状態を表す図である。
【００３８】
本発明のさらなる好ましい態様によれば、図１０に示される態様の係止部本体３１と、嵌め込み部材３２とに、ロック機構を設けることができる。図１５は、ロック機構を有する係止部本体３１の説明図である。図１５（ａ）は係止部本体３１の上面図であり、（ｂ）は、被挿入部３１２側から係止部３１１を見た側面図である。この態様の係止部本体３１は、その係止部３１１の被挿入部３１２側に矩形の切り欠き部３１７を有する。さらにこの切り欠き部３１７の深さ方向の途中から、連結部３１６の方向に溝部３１８が設けられてなる。
【００３９】
図１６は、図１５に示される係止部本体に対応する嵌め込み部材３２を示す図であり、（ａ）がその上面図、（ｂ）が側面図であり、（ｃ）が斜視図である。嵌め込み部材３２には、その側面に突起部３２２が、嵌め込み部材３２の厚さのほぼ半分の厚さのものとして設けられる。なおこの態様応において先端部３３２は、図１１に示される態様と同様に、係止部本体３１の連結部３１６が肉薄に設けられてなることに対応して、切り欠き部３３７を有する。
【００４０】
図１７および図１８は、図１５および１６に示される係止部本体３１に嵌め込み部材３２を挿入して固定部材とする説明図である。まず係止部本体３１は、大型無機質板の非貫通孔に挿入される。次に、嵌め込み部材３２が、係止部本体３１の被挿入部３１２に、突起部３２２を切り欠き部３１７の位置に合わせ、図の上方向から嵌め込まれる。そして嵌め込み部材３２を、連結部３１６の方向、すなわち図１７の矢印方向にスライドさせる。すると、突起部３２２が、係止部本体３１の溝部３１８と非貫通孔の底面１２２とが作る空間に滑り込み、好ましくはその溝部の端と接触して、係止する。図１８はその状態を表す図である。
【００４１】
図１９および２０は、図１５および１６に示された態様と同様に、図１３に示される係止部本体および嵌め込み部材にロック機構を設けた態様を示す図である。図１９は係止部本体３１の上面図であり、その係止部３１１の被挿入部３１２側に矩形の切り欠き部３１７を有し、さらにこの切り欠き部３１７の深さ方向の途中から、連結部３１６の方向に溝部３１８が設けられてなる。
【００４２】
図２０は、図１９に示される係止部本体に対応する嵌め込み部材３２を示す図であり、（ａ）がその上面図、（ｂ）が側面図であり、（ｃ）が斜視図である。嵌め込み部材３２には、その側面に突起部３２２が、嵌め込み部材３２の厚さのほぼ半分の厚さとして設けられてなる。なお、この態様においても、先端部３３２は、係止部本体３１の連結部３１６が肉薄に設けられてなることに対応して、切り欠き部３３７を有する。
【００４３】
図２１は、図１９および２０に示される係止部本体３１に嵌め込み部材３２を挿入して固定部材とした状態の図である。この態様にあっても、図１７の場合と同様に、嵌め込み部材３２は、係止部本体３１の被挿入部３１２に、まず、突起部３２２を、切り欠き部３３２の位置に合わせ、図の上方向から嵌め込み。次に嵌め込み部材３２を、連結部３１６の方向にスライドさせる。すると、突起部３２２が、係止部本体３１の溝部３１８と非貫通孔の底面１２２とが作る空間に滑り込み、好ましくはその溝部の端と接触して、係止する。
【００４４】
（ｃ）係止部を挿入する工程および（ｄ）固定部材を大型無機質板に係止する工程
係止部本体３１と、嵌め込み部材３２とからなる係止部の非貫通孔への挿入は次のように行う。まず、係止部本体３１を、非貫通孔に挿入する。次に、嵌め込み部材３２を、係止部本体３１の被挿入部３１２に、上記したように、係止部本体３１の上面に沿った方向に滑り込ませて挿入する。その際、例えば図７に示したように、嵌め込み部材３２が係止部本体３１を押し広げ、係止部本体３１は、前記面に沿った方向に拡張し、係止部３１１の当接面３１４が非貫通孔の内壁に面して当接しこれを押す力を生じさせる。これにより係止部が大型無機質板に挿入され、その結果、固定部材３が大型無機質板に係止される。
【００４５】
また、本発明にあっては、大型無機質板において固定部材３を、後記する接続材からの力が、図７中の矢印Ａの方向に加わるように配置する。すなわち、嵌め込み部材３２の係止部本体３１への挿入方向と、接続材から接続部３３５に加わる力の方向とが、好ましくは、一致するよう配置する。さらに、上記した他の態様にあっても、嵌め込み部材３２の係止部本体３１への挿入方向と、接続材から接続部３３５に加わる力の方向とが、好ましくは、一致するよう配置する。このような方向に配置することで、くさび形状の嵌め込み部材３２は、接続材から加わる力によってより強固に係止部本体３１に係止し、さらに係止部３１１の当接面３１４が非貫通孔の内壁に面して当接しこれをより強く押す。この結果、好ましくは、固定部材３はより強固に大型無機質板に係止される。接続部３３５は嵌め込み部材３２の係止部本体３１の挿入方向の先端部に備えても良いが、本発明の好ましい態様によれば、嵌め込み部材３２の央部、好ましくは中心部に接続部３３５を備えてなる。
【００４６】
（ｄ）固定部材の躯体への接続、および（ｅ）無機質板の躯体への接着
本発明において、固定部材３の躯体への接続は、接続部に接続材を結合し、この接続材の接続部に結合されている端とは反対側の端を躯体に接続することにより行われる。固定部材の接続部への接続材の結合は、固定部材を非貫通孔に挿入する前に行われても、後に行われてもよい。つまり、予め接続材が結合された嵌め込み部材を用意し、これを係止部本体に挿入しても、また係止部本体に挿入された嵌め込み部材に接続材を結合してもよい。さらに嵌め込み部材に接続材が一体化されて設けられている場合には、別途接続材の結合は必要とされない。
【００４７】
接続材は、結果として二重化された固定手段として、接着等の第一の固定手段が失われたときにも無機質板をつなぎ止めることができる強度を有するものであればその形状は限定されないが、例えば、線材、テープ状鋼材などが好ましく挙げられる。
【００４８】
接続材の接続部への結合の手段も、必要な強度が確保されるのであれば限定されない。例えば、図２２に示されるように、嵌め込み部材３２の接続部３３５に線材４１を巻きつけて結合する。ロウ付けや結着用の金具を利用しても良い。
【００４９】
次に、接続材の嵌め込み部材と結合されている端とは反対側の端を躯体に接続する。図２３は、図２２に示される固定部材が係止された無機質板１を、躯体５１に接続した状態の説明図である。図において、接続材としての線材４１は、固定部材に結合された端と反対側の端において、躯体５１に打ち込まれた固定点６１に接続されている。続いて、無機質板１は、躯体５１の表面５２と接着剤により張り付けられる。以上により、無機質板１は、固定部材による接続と、接着剤による接着との二つの手段により固定される。無機質板１には、経時的な劣化などで接着力が十分でなくなった場合でも、固定部材を用いた接続手段が存在するため、脱落や、脱落に伴う被害を防ぐことができる。
【００５０】
本発明の好ましい態様によれば、図２２および２３において、線材４１に加わる張力の方向が、嵌め込み部材３２の係止部本体３１への挿入方向と、接続材から接続部３３５に加わる力の方向とが一致するよう配置する。例えば、図７中の矢印Ａの方向に加わるように係止部本体３１および嵌め込み部材３２を配置する。上記したように、このような方向に配置することで、固定部材３はより強固に大型無機質板に係止される。
【００５１】
図８に示される態様の固定部材にあっては、線材などの接続材を用いることなく、延伸部３３の端３４の接続穴３５を用いて無機質板を躯体に接続することができる。接続は例えば、ねじ、ボルト、ピンなどを用いることができる。この態様にあっても、延伸部３３が伸びる方向に、張力が加わるよう配置することが好ましい。このような方向に配置することで、固定部材はより強固に大型無機質板に係止される。
【００５２】
図２４は、躯体５１の表面５２に、複数の無機質板１を張り付けた状態の説明図である。図において、無機質板１は、線材４１を固定点６１に接続し、さらに無機質板を接着剤で接着することにより固定される。非貫通孔２は、一つの無機質板１に複数設けられることが好ましく、図１２にあっては、無機質板１枚あたり、三つの非貫通孔が設けられている。さらに、線材と、固定点の関係は、単に固定点から線材を吊下げるのみならず、例えば、図１２にあるように、固定点６２を非貫通孔２の上で横に設け、線材４３を図の矢印の方向に引いて、無機質板１を持ち上げ、接続する態様であってもよい。この態様にあっては、線材４３の方向と、図７の矢印Ａの方向、図８の態様にあっては、延伸部３３が伸びる方向とが一致することが、固定部材をより強固に大型無機質板に係止できる観点から好ましい。
【００５３】
また、図２４にあって、無機質板１は２段に張り付けられており、下の段の無機質板についての固定点６１は上の段の無機質板に隠れるよう構成されている。図１２にあっては、固定点６１は、それにより接続される無機質板の上端よりも上に設けられているが、上端よりも下、すなわち、それにより接続される無機質板に隠れる位置に設けられてもよい。
【００５４】
躯体５１に設けられる固定点６１は、結果として二重化された固定手段として、接着等の第一の固定手段が失われたときにも無機質板を係止することができる強度を有するものであれば特に限定されないが、例えば、ねじ、ボルト、ピンなどが挙げられる。
【００５５】
接着剤としては、無機質板を躯体に接着可能なものであれば限定されないが、合成高分子系の接着剤が好ましい。合成高分子系の接着剤としては、エポキシ系、シリコン系、ウレタン系、アクリル系などが好適に用いられる。これらの接着剤は、常温で液状またはペースト状の接着剤、ホットメルト接着剤、テープ状に成形されたもの、のいずれも好適に使用可能である。
【００５６】
なお、本発明において、無機質板１の非貫通孔を有する面と躯体５１との接着剤による接着は、無機質板１と躯体表面５２との間に下地材が介在する態様も含まれるものとする。この場合、例えば、躯体が鉄骨等の柱である場合には、板状の下地材が躯体に公知の方法で固定されており、この下地材の表面に無機質板を接着剤で張り付ける。また例えば、既設の壁をリフォームする際に本発明の方法を適用する場合、既設の壁面を下地材として、その上に接着剤を用いて無機質板を張り付けても良い。いずれの場合も、ねじやボルトなどは躯体に固定されていることが好ましい。
【００５７】
第二の態様：溝を利用した態様
本発明の第二の態様は、大型無機質板に設けられた溝に対して適用する態様である。
【００５８】
図２５は、この態様による無機質板の躯体への固定方法を説明する図である。図２５において、無機質板１に、溝２が設けられてなり、この溝に係止部本体７１と、それに挿入される嵌め込み部材７２とを備えてなる固定部材３を挿入して固定部材が係止される。固定部材３には接続材４が結合され、接続材４は、固定部材３に結合された端と反対側の端において壁などの躯体に接続される。この図の態様にあっては、接続材４の一端がリング状とされ、そのリングにねじやボルトなどの固定具５を躯体（図示せず）に打ち込み、無機質板１は接続される。この接続とは別に、無機質板１の非貫通孔２が設けられた面は、接着剤により躯体に接着される。本発明による固定方法によれば、接着剤による接着と、固定部材による接続との二つの手段により、無機質板と躯体とが固定される。無機質板１は、経時的な劣化などで接着力が十分でなくなった場合でも、固定部材を用いた接続手段が存在するため、脱落や、脱落に伴う被害を防ぐことができる。すなわち、本発明によれば、無機質板の躯体への二重化された固定方法が提供される。
【００５９】
本発明の第二の態様にあって、工程（ａ）において溝を有する無機質板が用意される。図２６および図２７は、この態様において用意される無機質板の溝の模式図である。図２５において、溝２は３２０において閉じているが、図２６にあっては、溝２は閉じずに無機質板の端部にまで至り、その側面に凹みを形成している。上記したように、本発明にあっては、いずれの形状の溝であってもよいが、無機質板の強度を維持する観点からは、その端は閉じて、無機質板の端部にまで溝が至らない図２５の構成が好ましいと考えられる。
【００６０】
さらに、図２７は溝２の拡大断面図であり、溝２は（ａ）に示されるように、無機質板の表面に対してほぼ垂直な内壁面２２１を有する。また溝２は、例えば、その断面が（ｂ）に示されるようなアリ穴、つまり逆ハの字の形状であってもよく、また（ｃ）に示されるように、入り口より深さ方向に一定の距離の間、直径が変化しない内壁面２２２があり、さらに深い位置では直径を入り口の直径より大とされてもよい。すなわち、溝内において段が形成される。このような段の形成された溝であることで、固定部材を確実に非貫通孔に固定できるため有利である。
【００６１】
図２８および図２９は、第二の態様の工程（ｂ）において用意される固定部材の一つの例を示す図であり、図３０は、固定部材３が溝２に挿入された状態を示す。
【００６２】
まず、図２８は、係止部本体７１の斜視図であり、係止部本体７１は、係止部７１１および７１２と、その間を繋ぐ連結部７１３とからなり、係止部７１１、７１２との間の凹部は、嵌め込み部材が挿入される被挿入部７１４となり、後記する嵌め込み部材７２と接触する側壁７１５を有する。ここで、係止部７１１、７１２との間の凹部の形状は、図の左から右に向かってその幅を広げる形状、すなわち、いわゆるくさび形状に対応する凹部を形成している。さらに、この被挿入部７１４は、係止部本体に対して真横を向いて設けられておらず、一定の角度を持って斜めに設けられてなる。また、係止部本体７１は、溝の内壁に当接する当接面７１６を備える。
【００６３】
図２９（ａ）は嵌め込み部材７２の斜視図であり、（ｂ）は側面図である。図示されるように、本体７２１は、後記する挿入方向に向いて、先端側７２２と、後端側７２３とを有し、この先端側７２２は狭く、後端側７２３が広い形状のいわゆるくさび形状を有する。さらに係止部本体７１の側壁７１５と接触する側壁７２４を備える。この嵌め込み部材７２は、係止部本体７１の被挿入部７１４の凹部の大きさと比較して、ほぼ同じか僅かに大きく、それにより、嵌め込み部材７２の側面７２４が被挿入部の側壁７１５と接し、係止部本体７１を押し広げることができる形状とされる。この図の態様において、嵌め込み部材７２は、躯体と接続する接続部７２５が設けられ、この態様にあっては溝７２６が、フック形状をなすよう設けれ、この部分に接続材４、例えば線材、が係止される。
【００６４】
次に、工程（ｃ）および（ｄ）において、係止部本体７１は大型無機質板の溝に挿入され、さらに嵌め込み部材７２が挿入され、係止部７１１および７１２を押し広げる。図３０は、係止部本体７１が大型無機質板の溝に挿入され、さらに嵌め込み部材７２が、図中のＡの方向、すなわち係止部本体７１の上面に沿った方向に挿入された状態を示す図である。嵌め込み部材７２の挿入の結果、図３０の矢印Ｂに示す方向に係止部本体７１が拡張し、すなわち大型無機質板の面に沿った方向に拡張し、係止部７１１および７１２が溝２の内２１１壁に面して当接しこれを押す力を生じさせる。これにより固定部材が大型無機質板に係止される。
【００６５】
さらに、この図３０の態様にあって、固定部材３は、接続材４からの力が、図中の矢印Ｃの方向に加わるように配置される。係止部本体７１の被挿入部７１４は斜めに設けられているため、嵌め込み部材７２に接続材から加わる垂直方向の力が、図３０の矢印Ａの方向にも加わり、この力により係止部７１１および７１２の当接面７１６が溝の内壁２１１に面して当接しこれをより強く押す。この結果、固定部材はより強固に大型無機質板に係止されるとの利点が得られる。
【００６６】
図２８および２９に示される態様にあって、上記の工程（ｄ）および（ｅ）は、本発明の第一の態様の工程（ｄ）および（ｅ）と同様に行われてよい。とりわけ、接続材の接続、躯体への固定等についても同様とされてよい。
【００６７】
本発明の第二の態様の一つの実施形態を図３１〜図３３を参照しながら説明する。図３１は、この実施形態において用いられる大型無機質板の説明図であり、この大型無機質板１には、それを構成する縁が非平行である溝２が設けられてなる。そして、この溝２は内壁面２２１を有する。
【００６８】
図３２は、図３１に示される溝２に対応する、係止部本体７１および嵌め込み部材７２の説明図である。図３２（ａ）に示される係止部本体７１は、係止部７１１と、その間を繋ぐ連結部７１３とからなり、係止部７１１との間の凹部は、嵌め込み部材が挿入される被挿入部７１４となり、嵌め込み部材７２と接触する側壁７１５を有する。ここで、二つの係止部７１１との間の被挿入部７１４は、いわゆるくさび形状に対応する凹部とされる。また、係止部本体７１は、溝の内壁に当接する当接面７１６を備える。
【００６９】
図３２（ｂ）は、嵌め込み部材７２の斜視図である。図示されるように、本体７２１は、後記する挿入方向に向いて、先端側７２２と、後端側７２３とを有し、この先端側７２２は狭く、後端側７２３が広い形状のいわゆるくさび形状を有する。さらに係止部本体７１の側壁７１５と接触する側壁７２４を備える。この嵌め込み部材７２は、係止部本体７１の被挿入部７１４の凹部の大きさと比較して、ほぼ同じか僅かに大きく、それにより、嵌め込み部材７２の側面７２４が被挿入部の側壁７１５と接し、係止部本体７１を押し広げることができる形状とされる。この図の態様において、嵌め込み部材７２は、躯体と接続する接続部７２５が設けられ、この態様にあっては溝７２６が、フック形状をなすよう設けれ、この部分に接続材４、例えば線材、が係止される。
【００７０】
図３３は、係止部本体７１が大型無機質板の溝に挿入され、さらに嵌め込み部材７２が挿入されて構成された固定部材の説明図である。この態様にあって、本発明の工程（ｃ）および（ｄ）としてまず、係止部本体７１が図３０に示される大型無機質板１の溝２に挿入される。次に、嵌め込み部材７２が、係止部本体７１の被挿入部７１４に、図３３の矢印Ａの方向、すなわち係止部本体７１の上面に沿った方向に挿入される。これにより二つの係止部７１１が押し広げられる。その結果、係止部本体７１が拡張し、すなわち大型無機質板の面に沿った方向に拡張し、係止部７１１が溝２の内２１１壁に面して当接しこれを押す力を生じさせる。これにより固定部材が大型無機質板に係止される。
【００７１】
さらに、この図３３の態様にあって、固定部材３は、接続材４からの力が、図中の矢印Ｂの方向に加わるように配置される。すなわち、嵌め込み部材７２の係止部本体７１への挿入方向と、接続材から接続部７２５に加わる力の方向とが一致するよう配置する。このような方向に配置することで、くさび形状の嵌め込み部材７２は、接続材から加わる力によってより強固に係止部本体７１に係止し、さらに係止部７１１の当接面７１４が溝の内壁２２１に面して当接しこれをより強く押す。この結果、好ましくは、固定部材３はより強固に大型無機質板に係止される。
【００７２】
図３１〜３３に示される態様にあって、上記の工程（ｄ）および（ｅ）は、本発明の第一の態様の工程（ｄ）および（ｅ）と同様に行われてよい。とりわけ、接続材の接続、躯体への固定等についても同様とされてよい。
【符号の説明】
【００７３】
１・・大型無機質板、２・・非貫通孔または溝、３・・固定部材、３１、７１・・係止部本体、３２、７２・・嵌め込み部材、４・・接続材、５・・固定具、３１１、７１１、７１２・・係止部、３１２、７１４・・被挿入部、３２５、７２５・・接続部、５１・・躯体
【図１】
2018028176.tif 000003
【図２】
2018028176.tif 000004
【図３】
2018028176.tif 000005
【図４】
2018028176.tif 000006
【図５】
2018028176.tif 000007
【図６】
2018028176.tif 000008
【図７】
2018028176.tif 000009
【図８】
2018028176.tif 000010
【図９】
2018028176.tif 000011
【図１０】
2018028176.tif 000012
【図１１】
2018028176.tif 000013
【図１２】
2018028176.tif 000014
【図１３】
2018028176.tif 000015
【図１４】
2018028176.tif 000016
【図１５】
2018028176.tif 000017
【図１６】
2018028176.tif 000018
【図１７】
2018028176.tif 000019
【図１８】
2018028176.tif 000020
【図１９】
2018028176.tif 000021
【図２０】
2018028176.tif 000022
【図２１】
2018028176.tif 000023
【図２２】
2018028176.tif 000024
【図２３】
2018028176.tif 000025
【図２４】
2018028176.tif 000026
【図２５】
2018028176.tif 000027
【図２６】
2018028176.tif 000028
【図２７】
2018028176.tif 000029
【図２８】
2018028176.tif 000030
【図２９】
2018028176.tif 000031
【図３０】
2018028176.tif 000032
【図３１】
2018028176.tif 000033
【図３２】
2018028176.tif 000034
【図３３】
2018028176.tif 000035